(57)【特許請求の範囲】
【請求項１】
編集処理内容に応じた編集処理プログラムリストを生成する制御装置と、当該編集処理プログラムリストに従って素材に対する編集処理を実行する編集装置とをネットワークを介して接続することによって構成される素材編集処理システムにおいて、
上記制御装置は、
上記編集処理プログラムリストを生成する編集処理プログラムリスト生成手段と、
上記素材に付加すべき付加情報を生成するとともに、当該付加情報の上記素材に対する付加順番及び上記編集処理プログラムリストと上記付加情報との対応関係を示す付加順番対応関係ファイルを生成する付加情報ファイル生成手段と、
上記編集処理プログラムリスト、上記付加情報及び上記付加順番対応関係ファイルを上記ネットワークを介して上記編集装置へ送信する送信手段と
を具え、
上記編集装置は、
上記編集処理プログラムリスト、上記付加情報及び上記付加順番対応関係ファイルを上記ネットワークを介して受信する受信手段と、
上記受信手段で受信した上記付加情報を再生する付加情報再生手段と、
上記付加順番対応関係ファイルに基づいて上記編集処理プログラムリストと上記付加情報との対応関係及び上記付加順番を認識し、当該編集処理プログラムリストに応じた編集指示を与える制御手段と、
上記編集指示に従い上記素材に対して上記付加情報を上記付加順番通りに付加することにより上記編集処理を実行し、編集処理結果データを生成する編集処理手段と
を具える素材編集処理システム。
【請求項２】
上記付加情報は、上記素材に対応したテロップ画像を所定の方式で変換することにより得られたファイル形式のテロップファイルである
請求項１に記載の素材編集処理システム。
【請求項３】
上記付加情報は、上記素材に対応した楽曲データである
請求項１に記載の素材編集処理システム。
【請求項４】
編集処理内容に応じて生成された編集処理プログラムリストをネットワークを介して受信し、当該受信した当該編集処理プログラムリストに従って素材に対する編集処理を実行する素材編集処理方法において、
上記編集処理プログラムリスト、上記素材に付加すべき付加情報、当該付加情報の上記素材に対する付加順番及び上記編集処理プログラムリストと上記付加情報との対応関係を示す付加順番対応関係ファイルを上記ネットワークを介して受信する受信ステップと、
上記付加順番対応関係ファイルに基づいて上記編集処理プログラムリストと上記付加情報との対応関係及び上記付加順番を認識し、当該編集処理プログラムリストに応じた編集指示を与える制御ステップと、
上記編集指示に従い上記素材に対して上記付加情報を上記付加順番通りに付加することにより上記編集処理を実行し、編集処理結果データを生成する編集処理ステップと
を有する素材編集処理方法。
【請求項５】
編集処理内容に応じて生成された編集処理プログラムリストをネットワークを介して受信し、当該受信した当該編集処理プログラムリストに従って素材に対する編集処理を実行する素材編集処理装置において、
上記編集処理プログラムリスト、上記素材に付加すべき付加情報、当該付加情報の上記素材に対する付加順番及び上記編集処理プログラムリストと上記付加情報との対応関係を示す付加順番対応関係ファイルを上記ネットワークを介して受信する受信手段と、
上記付加順番対応関係ファイルに基づいて上記編集処理プログラムリストと上記付加情報との対応関係及び上記付加順番を認識し、当該編集処理プログラムリストに応じた編集指示を与える制御手段と、
上記編集指示に従い上記素材に対して上記付加情報を上記付加順番通りに付加することにより上記編集処理を実行し、編集処理結果データを生成する編集処理手段と
を具える素材編集処理装置。
【発明の詳細な説明】
【０００１】
【発明の属する技術分野】
本発明は素材編集処理システム、素材編集処理方法及び素材編集処理装置に関し、例えば遠隔地の制御装置によりＴＶ局等の編集装置を介して映像素材（以下、これを素材と呼ぶ）の編集処理を行う素材編集処理システムに適用して好適なものである。
【０００２】
【従来の技術】
従来、遠隔地の制御装置とＴＶ(Television)局等の編集装置とをネットワークを介して接続し、当該遠隔地の制御装置によってＴＶ局等の編集装置を遠隔制御することにより素材に対する編集処理を実行する素材編集処理システムがある。
【０００３】
この素材編集処理システムにおいては、遠隔地の制御装置によって例えば素材に適した文字等のテロップを挿入する編集処理を実行する場合、当該制御装置を介してＴＶ局等の編集装置で編集処理すべき素材を実際にモニタリングしながら編集作業を行うと共に、素材に対して挿入すべきテロップの画像データをインターネット等のネットワークを介して編集装置へ伝送する必要がある。
【０００４】
【発明が解決しようとする課題】
ところでかかる構成の素材編集処理システムにおいては、遠隔地の制御装置からＴＶ局等の編集装置へネットワークを介してテロップの画像データを伝送する際、現在の伝送可能な帯域幅及びデータ伝送速度ではテロップの画像データを伝送するに当たって多大な時間を要し、迅速な編集処理を実行し得ないという問題があった。
【０００５】
また素材編集処理システムにおいては、遠隔地の制御装置からＴＶ局等の編集装置へテロップの画像データを伝送した後に、当該制御装置によってＴＶ局等の編集装置と接続されたテロップ発生器等の被制御機器等をコントロールして編集処理を実行しなければならず、テロップの画像データを伝送した後にもユーザに対して煩雑な編集作業を強いるという問題があった。
【０００６】
本発明は以上の点を考慮してなされたもので、素材に対する付加情報の編集処理を一段と容易に実行し得る素材編集処理システム、素材編集処理方法及び素材編集処理装置を提案しようとするものである。
【０００７】
【課題を解決するための手段】
かかる課題を解決するため本発明においては、編集処理内容に応じた編集処理プログラムリストを生成する制御装置と、当該編集処理プログラムリストに従って素材に対する編集処理を実行する編集装置とをネットワークを介して接続することによって構成される素材編集処理システムにおいて、制御装置は、編集処理プログラムリストを生成する編集処理プログラムリスト生成手段と、素材に付加すべき付加情報を生成するとともに、当該付加情報の素材に対する付加順番及び編集処理プログラムリストと付加情報との対応関係を示す付加順番対応関係ファイルを生成する付加情報ファイル生成手段と、編集処理プログラムリスト、付加情報及び付加順番対応関係ファイルをネットワークを介して編集装置へ送信する送信手段とを具え、編集装置は、編集処理プログラムリスト、付加情報及び付加順番対応関係ファイルをネットワークを介して受信する受信手段と、受信手段で受信した付加情報を再生する付加情報再生手段と、付加順番対応関係ファイルに基づいて編集処理プログラムリストと付加情報との対応関係及び付加順番を認識し、当該編集処理プログラムリストに応じた編集指示を与える制御手段と、編集指示に従い素材に対して付加情報を付加順番通りに付加することにより編集処理を実行し、編集処理結果データを生成する編集処理手段とを設けるようにする。
【０００８】
これにより、編集処理プログラムリスト、素材に付加すべき付加情報、当該付加情報を素材に対して付加すべき順番及び編集処理プログラムと付加情報との対応関係を示す付加順番対応関係ファイルをネットワークを介して送信してしまえば、受信側で付加順番対応関係ファイルに基づいて編集処理プログラムリストと付加情報との対応関係及び順番を認識し得、当該編集処理プログラムリストに応じた編集指示により素材に対して付加情報を順番通りに付加して編集処理を自動的に実行することができる。
【０００９】
また本発明においては、編集処理内容に応じて生成された編集処理プログラムリストをネットワークを介して受信し、当該受信した当該編集処理プログラムリストに従って素材に対する編集処理を実行する素材編集処理方法において、編集処理プログラムリスト、素材に付加すべき付加情報、当該付加情報の素材に対する付加順番及び編集処理プログラムリストと付加情報との対応関係を示す付加順番対応関係ファイルをネットワークを介して受信する受信ステップと、付加順番対応関係ファイルに基づいて編集処理プログラムリストと付加情報との対応関係及び付加順番を認識し、当該編集処理プログラムリストに応じた編集指示を与える制御ステップと、編集指示に従い素材に対して付加情報を付加順番通りに付加することにより編集処理を実行し、編集処理結果データを生成する編集処理ステップとを有するようにする。
【００１０】
これにより、付加順番対応関係ファイルに基づいて編集処理プログラムリストと付加情報との対応関係及び順番を認識することができるので、当該編集処理プログラムリストに応じた編集指示を与えることによって素材に対して付加情報を順番通りに付加して編集処理を自動的に実行することができる。
【００１１】
【発明の実施の形態】
以下、図面について、本発明の一実施の形態を詳述する。
【００１２】
（１）素材編集処理システムの全体構成
図１において、１は全体として本発明の素材編集処理システムを示し、遠隔地の制御装置２とＴＶ局等の編集装置３とがインターネット等のネットワーク（図示せず）を介して接続されている。
【００１３】
制御装置２は、ＣＰＵ(Central Processing Unit)、ＲＯＭ(Read Only Memory)及びＲＡＭ(Random Access Memory)等のコンピュータ構成でなる遠隔編集端末４からＴＶ局等の編集装置３における大容量アーカイブ１１へ映像素材（以下、これを素材と呼ぶ）の検索命令Ｄ１を送信する。
【００１４】
ＴＶ局等の編集装置３は、検索命令Ｄ１に該当する素材が収録された例えば２本のビデオテープを大容量アーカイブ１１の中から検索し、当該検索した２本のビデオテープをローカルサーバ１２へ送出する。
【００１５】
ローカルサーバ１２は、第１ＶＴＲ(Video Tape Recorder)１２Ａ及び第２ＶＴＲ１２Ｂによって２本のビデオテープを再生することにより、その結果得られた再生データＤ１２Ａ及びＤ１２Ｂを編集対象の素材として後段のビデオスウィッチャ／オーディオミキサ１３へ出力すると共に、表示部１５を介してＭＰＥＧ(Moving Picture Experts Group)エンコーダ１６へ出力する。
【００１６】
ＭＰＥＧエンコーダ１６は、再生データＤ１２Ａ及びＤ１２ＢをＭＰＥＧ規格に準拠した圧縮符号化方式で圧縮符号化した後、これを符号化データD１６として制御装置２の遠隔編集端末４へネットワークを介して伝送する。
【００１７】
これにより遠隔編集端末４は、符号化データD１６を受信して復号化することにより、再生データD１２A及びD１２Bに基づく再生画像を表示部(図示せず)に順次表示し得、かくして当該再生画像をユーザに対して目視確認させながら編集作業を実行させ得るようになされている。
【００１８】
制御装置２のテロップ発生器５は、再生画像に適した例えば図２に示すような「Flower Hat Dance Parade in Yamagata August 5-7.2000」のテロップＴ５Ａをユーザの入力操作に応じて生成し、このテロップＴ５Ａのテロップ画像データを当該テロップ発生器５のアプリケーションプログラム（この場合はアドビ社製のプレミア）によって所定形式（例えばテキストファイルやバイナリファイルに近い形式）のテロップファイルD５Ａ(Flower Hat.ptl)に変換することにより、画像データと比較して格段にデータ量を低減するようになされている。
【００１９】
同様にテロップ発生器５は、次の再生画像に適したテロップＴ５Ｂ、Ｔ５Ｃ……（図示せず）のテロップ画像データをテロップファイルＤ５Ｂ、Ｄ５Ｃ……に順次変換し、素材編集用のテロップファイルデータD５（Ｄ５Ａ、Ｄ５Ｂ、Ｄ５Ｃ……）として遠隔編集端末４へ送出するようになされている。
【００２０】
また編集処理プログラム生成手段としての遠隔編集端末４は、図３に示すような編集画面１００を表示部に表示し、当該編集画面１００上でユーザに編集処理を実行させるようになされている。このとき遠隔編集端末４は、ユーザによって編集作業が行われた編集画面１００の内容に従ってＴＶ局の編集装置３で自動的に編集処理を実行させるためのEDL(Edit Decision List)と呼ばれる編集プログラムリストＥＤＬを自動的に生成し得るようになされている。
【００２１】
ここで編集画面１００には、モニタ表示領域１０１、素材及びテロップファイルリスト表示領域１０２及びタイムライン表示領域１０３が設けられており、同一画面上で容易に編集処理を実行し得るような画面構成となっている。
【００２２】
モニタ表示領域１０１には、編集前の素材を表示する素材表示ウィンドウ１０１Ａと、編集後の編集結果を表示する編集結果表示ウィンドウ１０１Ｂとが設けられ、編集前後の素材を同時に表示し得るようになされている。すなわち編集結果表示ウィンドウ１０１Ｂには、素材に対してテロップ（「Flower Hat Dance Parade in Yamagata August 5-7.2000」）が挿入された状態の画像が表示されることになる。
【００２３】
なおモニタ表示領域１０１内の下部には、編集作業用の各種コマンドを入力するための操作ボタンが設けられると共に、素材及びテロップ等の再生時間を表示するためのカウンタ表示部が設けられている。
【００２４】
素材及びテロップファイルリスト表示領域１０２には、テロップ発生器５から供給されたテロップファイルデータＤ５の各テロップファイルＤ５Ａ、Ｄ５Ｂ、Ｄ５Ｃ……を順次羅列表示し、素材に対して挿入すべき挿入対象をユーザに一目で認識させ得るようになされている。
【００２５】
タイムライン表示領域１０３には、最上段に時、分、秒及びフレームに対応したタイムライン１０５が設けられ、ユーザは当該タイムライン１０５の時間軸に沿って素材としての再生データＤ１２Ａの素材アイコンＤ１２Ａａ、D１２Ａｂ、Ｄ１２Ａｃ、再生データＤ１２Ｂの素材アイコンＤ１２Ｂａ、Ｄ１２Ｂｂ、Ｄ１２Ｂｃや、各テロップファイルＤ５Ａ、Ｄ５Ｂ、Ｄ５Ｃ……のテロップアイコンＤ５Ａａ、D５Ｂｂを並べることによって容易に編集処理を実行し得るようになされている。
【００２６】
実際上タイムライン１０５の下部には、素材再生用の第１ＶＴＲ１２Ａ及び第２ＶＴＲ１２Ｂによって再生すべき再生データＤ１２Ａの素材アイコンＤ１２Ａａ、Ｄ１２Ａｂ、Ｄ１２Ａｃ及び再生データＤ１２Ｂの素材アイコンＤ１２Ｂａ、Ｄ１２Ｂｂ、Ｄ１２Ｂｃがタイムライン１０５の時間軸に沿って並べられると共に、再生データＤ１２の素材アイコンと再生データＤ１３の素材アイコンとが重なる部分に特殊効果等のエフェクト画像データのエフェクトアイコンＥＤ１〜ＥＤ５が挿入されるように並べられ、さらにテロップアイコンＤ５Ａａ、Ｄ５Ｂｂが素材アイコンＤ１２Ａａ、Ｄ１２Ｂｂにそれぞれ対応付けられて並べられることにより編集作業が行われる。
【００２７】
なお素材アイコンＤ１２Ａａ、Ｄ１２Ａｂ、Ｄ１２Ａｃ及び素材アイコンＤ１２Ｂａ、Ｄ１２Ｂｂ、Ｄ１２Ｂｃには、それぞれ対応したオーディオデータのオーディオアイコンＡＵ１２Ａａ、ＡＵ１２Ａｂ、ＡＵ１２Ａｃ及びオーディオアイコンＡＵ１２Ｂａ、ＡＵ１２Ｂｂ、ＡＵ１２Ｂｃがそれぞれ対応付けられて並べられるようになされている。
【００２８】
このようにして遠隔編集端末４は、ユーザによって編集作業の行われた編集画面１００に従って図４に示すような編集プログラムリストＥＤＬを生成する。実際上、この編集プログラムリストＥＤＬでは、例えば３行目に「REEL 0001 IS CLIP 0807C2.AVI」とあるように、「REEL 0001」に該当する第１ＶＴＲ１２Ａが素材「CLIP 0807C2.AVI」の再生データＤ１２Ａを出力するように設定されている。
【００２９】
また編集プログラムリストＥＤＬでは、４行目に「REEL UND001 IS CLIP FLOWERHAT.PTL」とあるように、「REEL UND001」に該当する編集装置３のテロップ発生器１９がテロップファイルD５Ａ(Flower Hat.ptl)に応じたテロップ画像データを出力するように設定されている。
【００３０】
さらに編集プログラムリストＥＤＬでは、５行目に「KEY TYPE IS ……」とあるように、テロップを画像にはめ込むためのキーのタイプが設定され、６行目に第１ＶＴＲ１２Ａの再生時のイン点（00:19:17:11）及びアウト点（00:19:37:28）と、それを編集記録するための編集ＶＴＲ１４における記録時のイン点（00:00:00:00）及びアウト点（00:00:20:17）とが設定されると共に、７行目にテロップ発生器１９が出力するテロップ画像データの再生時のイン点（00:00:00:00）及びアウト点（00:00:08:01）と、それを編集記録するための編集ＶＴＲ１４における記録時のイン点（00:00:00:00）及びアウト点（00:00:08:01）とが設定されている。
【００３１】
同様に編集プログラムリストＥＤＬでは、８行目以降にも編集画面１００に従った内容の編集結果がプログラムされている。
【００３２】
ところで付加情報生成手段としてのテロップ発生器５は、遠隔編集端末４によって作成された上述の編集プログラムリストＥＤＬと、当該テロップ発生器５から供給されるテロップファイルデータＤ５の各テロップファイルＤ５Ａ、Ｄ５Ｂ、Ｄ５Ｃ……との対応関係を編集装置３の編集コントローラ１７に理解させるためと、テロップファイルＤ５を素材に挿入する順番を編集コントローラ１７に理解させるためのテロップ順番テキストファイルＴＸＴを生成し、これを遠隔編集端末４へ送出する。
【００３３】
すなわちテロップ順番テキストファイルＴＸＴは、遠隔編集端末４によって作成された編集プログラムリストＥＤＬだけでは、編集コントローラ１７がテロップファイルデータＤ５の各テロップファイルＤ５Ａ、Ｄ５Ｂ、Ｄ５Ｃ……を認識できない場合に、それを理解させるためのファイルである。
【００３４】
従ってテロップ発生器５の代わりに異なる機種のテロップ発生器を用いた場合でも、テロップ順番テキストファイルＴＸＴによって編集プログラムリストＥＤＬとの対応関係を明確にすることで、編集コントローラ１７に容易に理解させて編集処理を実行させ得るようになされている。
【００３５】
ここで図５に示すように、テロップ順番テキストファイルＴＸＴは、全体のタイトルとして「Flower Hat Dance Parade」の名称が与えられており、編集プログラムリストＥＤＬにおける挿入順番「01」の「UND001」がテロップファイルＤ５Ａ「Flower Hat.Ptl」であること、挿入順番「02」の「UND002」がテロップファイルＤ５Ｂ「Tuad. Ptl」であること、及び挿入順番「03」の「UND003」がテロップファイルＤ５Ｃ「End. Ptl」であることを表している。
【００３６】
送信手段としての遠隔編集端末４は、編集画面面１００を用いて編集作業を行った後、図６に示すようなフォルダ画面２００の中から編集プログラムリストＥＤＬ及びテロップ順番テキストファイルＴＸＴを選択して編集装置３の編集コントローラ１７へ送信すると共に、フォルダ画面２００のうちテロップファイルデータＤ５を選択して編集装置３のテロップ発生器１９へ送信するようになされている。
【００３７】
ここで遠隔編集端末４は、画像データと比較して格段にそのデータ量が低減されたファイル形式のテロップファイルデータＤ５をＴＶ局等における編集装置３のコンピュータ構成でなる編集コントローラ１７へネットワークを介して送信するようにしたことにより、帯域幅や伝送速度に係わらず短時間で効率良くテロップファイルデータＤ５を伝送し得るようになされている。
【００３８】
従って受信手段及び制御手段としての編集コントローラ１７は、遠隔編集端末４から受信したテロップ順番テキストファイルＴＸＴを所定のアプリケーションプログラムに従って解読し、当該テロップ順番テキストファイルＴＸＴに基づいて編集プログラムリストＥＤＬとテロップファイルデータＤ５との対応関係を認識し得ると共に、編集プログラムリストＥＤＬに従って各テロップファイルＤ５Ａ、Ｄ５Ｂ、Ｄ５Ｃ……を順番通りに素材に挿入して編集処理を実行し得るようになされている。
【００３９】
すなわち編集コントローラ１７は、編集プログラムリストＥＤＬに従って再生データＤ１２Ａに対してテロップファイルＤ５Ａに基づくテロップ画像データを重ねて合成する指示であることを認識し、ローカルサーバ１２及びテロップ発生器１９を制御するようになされており、これにより遠隔編集端末４で設定した編集画面１００の内容通りにテロップを素材に挿入する編集処理を自動的に実行し得るようになされている。
【００４０】
ここで制御装置２のテロップ発生器５と、編集装置３のテロップ発生器１９とは同一機種であって、当該テロップ発生器１９は遠隔編集端末４から受信したテロップファイルデータＤ５及び編集コントローラ１７を介して受信したテロップ順番テキストファイルＴＸＴに基づいて、図７のフォルダ画面３００に示したような各テロップファイルＤ５Ａ、Ｄ５Ｂ、Ｄ５Ｃ……の順番を表す再生テロップ順番ファイルＤ５０を生成すると共に、各テロップファイルＤ５Ａ、Ｄ５Ｂ、Ｄ５Ｃ……をもとのテロップ画像データに変換することにより得られる再生テロップ画像データファイルＤ６０を生成するようになされている。
【００４１】
従って付加情報再生手段としてのテロップ発生器１９は、編集コントローラ１７からの指示を受けると、再生テロップ順番ファイルＤ５０に基づいて再生テロップ画像データファイルＤ６０の中から該当する再生テロップ画像データＤ６１を読み出し、これをビデオスウィッチャ／オーディオミキサ１３へ出力するようになされている。
【００４２】
編集処理手段としてのビデオスウィッチャ／オーディオミキサ１３は、編集プログラムリストＥＤＬに基づく編集コントローラ１７からの指示に従って、素材の再生データＤ１２Ａに対してテロップファイルＤ５Ａに基づく再生テロップ画像データＤ６１を重ねて合成することにより編集処理を実行し、その編集結果画像データＤ６２を編集ＶＴＲ１４に送出する。
【００４３】
編集ＶＴＲ１４は、ビデオスウィッチャ／オーディオミキサ１３からの編集結果画像データＤ６２をビデオテープに記録することにより編集処理を終了し、その編集処理後の編集処理結果画像データＤ６３を遠隔制御端末２へ伝送し、モニタ７を介してユーザに目視確認させ得るようになされている。
【００４４】
（２）素材編集処理システムにおける編集処理手順
すなわち素材編集処理システム１において、制御装置２は図８に示すようにルーチンＲＴ１の開始ステップから入ってステップＳＰ１に移る。ステップＳＰ１において制御装置２は、テロップ発生器５によって素材に挿入すべきテロップファイルデータＤ５を生成し、これを遠隔編集端末４に送出して次のステップＳＰ２に移る。
【００４５】
ステップＳＰ２において制御装置２は、編集作業が行われた編集画面１００の内容に沿って編集プログラムリストＥＤＬを生成し、次のステップＳＰ３へ移る。
【００４６】
ステップＳＰ３において制御装置２は、テロップ発生器５によって、編集装置３の編集コントローラ１７にテロップファイルデータＤ５と編集プログラムリストＥＤＬとの対応関係を理解させるためのテロップ順番テキストファイルＴＸＴを生成し、これを遠隔編集端末４に送出して次のステップＳＰ２に移る。
【００４７】
ステップＳＰ４において制御装置２は、遠隔編集端末４により編集プログラムリストＥＤＬ及びテロップ順番テキストファイルＴＸＴを編集装置３の編集コントローラ１７に送信するとともに、テロップファイルデータＤ５を編集装置３のテロップ発生器１９へ送信し、次のステップＳＰ５で編集プログラムリスト生成処理手順を終了する。
【００４８】
続いて素材編集処理システム１において、編集装置３は図９に示すようにルーチンＲＴ２の開始ステップから入ってステップＳＰ１１に移る。ステップＳＰ１１において編集装置３の編集コントローラ１７は、制御装置２から受信したテロップ順番テキストファイルＴＸＴに基づいて編集プログラムリストＥＤＬとテロップファイルデータＤ５との対応関係を認識し、次のステップＳＰ１２に移る。
【００４９】
ステップＳＰ１２において編集コントローラ１７は、編集プログラムリストＥＤＬに従ってローカルサーバ１２、ビデオスイッチャオーディオミキサ１３及びテロップ発生器１９に対して指示を与えることにより、素材同士の接続部分に特殊効果を施したり、オーディオデータを付加する等の編集処理を実行し、次のステップＳＰ１３に移る。
【００５０】
ステップＳＰ１３において編集コントローラ１７は、編集プログラムリストＥＤＬの終わりであるか否かを判定する。ここで肯定結果が得られると、このことは編集プログラムリストＥＤＬの終わりに到達したことを表しており、このときステップＳＰ１６に移る。
【００５１】
これに対してステップＳＰ１３で否定結果が得られると、このことは未だ編集プログラムリストＥＤＬの終わりに到達していないことを表しており、このとき編集コントローラ１７は次のステップＳＰ１４に移る。
【００５２】
ステップＳＰ１４において編集コントローラ１７は、編集プログラムリストＥＤＬに従ってテロップファイルＤ５Ａを素材に挿入すべきタイミングとなったか否かを判定する。ここで否定結果が得られると、このことは編集プログラムリストＥＤＬ上でテロップファイルＤ５Ａを挿入すべきタイミングとはなっていないことを表しており、このとき編集コントローラ１７はステップＳＰ１２に戻って編集プログラムリストＥＤＬに応じた指示を与え続ける。
【００５３】
これに対してステップＳＰ１４で肯定結果が得られると、このことは編集プログラムリストＥＤＬ上でテロップファイルＤ５Ａを挿入すべきタイミングとなったことを表しており、このとき編集コントローラ１７は次のステップＳＰ１５に移る。
【００５４】
ステップＳＰ１５において編集コントローラ１７は、編集プログラムリストＥＤＬに従ってビデオスイッチャオーディオミキサ１３及びテロップ発生器１９に対して支持を与えることにより、素材である再生データＤ１２Ａに対して所定のテロップファイルＤ５Ａを挿入し、次のステップＳＰ１６に移る。
【００５５】
ステップＳＰ１６において編集コントローラ１７は、ビデオスイッチャオーディオミキサ１３により再生データＤ１２ＡにテロップファイルＤ５Ａの再生テロップ画像データＤ６１を重ねて合成することにより生成された編集結果画像データＤ６２を編集ＶＴＲ１４でビデオテープに記録し、制御装置２のモニタ７へ編集結果を表示させた後、次のステップＳＰ１７で編集処理手順を終了する。
【００５６】
（３）動作及び効果
以上の構成において、素材編集処理システム１は、遠隔地の制御装置２がＴＶ局の編集装置３を遠隔制御するための編集プログラムリストＥＤＬを遠隔編集端末４により生成し、その編集プログラムリストＥＤＬに従って素材に挿入すべきテロップファイルデータＤ５と当該編集プログラムリストＥＤＬとの対応関係を編集コントローラ１７に理解させるためのテロップ順番テキストファイルＴＸＴをテロップ発生器５により生成し、編集プログラムリストＥＤＬ、テロップファイルデータＤ５及びテロップ順番テキストファイルＴＸＴを編集装置３の編集コントローラ１７へ送信する。
【００５７】
編集装置３の編集コントローラ１７は、テロップ順番テキストファイルＴＸＴに基づいて編集プログラムリストＥＤＬとテロップファイルデータＤ５との関係を解読し、どの素材に対してどのテロップファイルを挿入するべきかを編集プログラムリストＥＤＬに従って認識することができる。
【００５８】
これにより編集コントローラ１７は、編集プログラムリストＥＤＬに基づいてローカルサーバ１２、テロップ発生器１９及びビデオスイッチャオーディオミキサ１３に対して適切な指示を与えることができるので、素材に対応したテロップファイルを自動的に挿入して編集処理を実行することができる。
【００５９】
これによりユーザは、制御装置２から編集プログラムリストＥＤＬ、テロップファイルデータＤ５及びテロップ順番テキストファイルＴＸＴを編集装置３の編集コントローラ１７へ送信した後には、編集結果をモニタ７で確認するだけで済み、煩雑な操作なしに編集処理を容易かつ短時間で実行することができる。
【００６０】
以上の構成によれば、遠隔地の制御装置２が編集プログラムリストＥＤＬと、テロップ発生器５によって生成した素材に挿入すべきテロップファイルデータＤ５との対応関係を示したテロップ順番テキストファイルＴＸＴを生成し、編集プログラムリストＥＤＬ、テロップファイルデータＤ５及びテロップ順番テキストファイルＴＸＴを編集装置３の編集コントローラ１７へ送信することにより、当該編集プログラムリストＥＤＬとテロップファイルデータＤ５との対応関係をテロップ順番テキストファイルＴＸＴによって予め認識させることができるので、テロップ発生器５で生成したテロップファイルデータＤ５をテロップ発生器１９を介して素材へ自動的に挿入するといった編集処理を編集コントローラ１７を介して自動的に実行させることができる。
【００６１】
（４）他の実施の形態
なお上述の実施の形態においては、例えば素材である再生データＤ１２Ａに対して付加情報としてのテロップファイルＤ５Ａを挿入するようにした場合について述べたが、本発明はこれに限らず、例えばＭＩＤＩ(Musical Instrument Digital Interface)音源によって生成されたＭＩＤＩデータファイルや、パーソナルコンピュータ等によって生成した簡易なマーク、記号、矢印又は枠等のＣＧ(Computer Graphics)でなる静止画像ファイル等を素材に対して挿入するようにしても良い。
【００６２】
また、この場合素材編集処理システム１では一つの素材に対して同時にテロップファイルＤ５Ａ、ＭＩＤＩデータファイル及び静止画ファイルを挿入するように、編集処理プログラムとしての編集プログラムリストＥＤＬとテロップファイルＤ５Ａ、ＭＩＤＩデータファイル及び静止画ファイルとの対応関係及び挿入順番を示す付加情報順番テキストファイルを生成し、これを介して編集コントローラ１７に理解させるようにしても良い。これにより編集コントローラ１７は、編集装置３に設けられたテロップファイルデータＤ５、ＭＩＤＩデータ及び静止画ファイルをそれぞれ再生するための被制御機器を同時に制御して編集処理を実行することができる。
【００６３】
また上述の形態においては、素材編集処理システム１として遠隔地の制御装置２とＴＶ局の編集装置３とをインターネット等のネットワークを介して接続するようにした場合について述べたが、本発明はこれに限らず、制御装置２と編集装置３とがＬＡＮ(Local Area Network)を介して接続するようにしても良い。
【００６４】
【発明の効果】
上述のように本発明によれば、編集処理プログラムリスト、素材に付加すべき付加情報、当該付加情報を素材に対して付加すべき順番及び編集処理プログラムと付加情報との対応関係を示す付加順番対応関係ファイルをネットワークを介して送信してしまえば、受信側で付加順番対応関係ファイルに基づいて編集処理プログラムリストと付加情報との対応関係及び順番を認識し得、当該編集処理プログラムリストに応じた編集指示により素材に対して付加情報を順番通りに付加して編集処理を自動的に実行することができ、かくして送信側のユーザは送信後に煩雑な操作なしに素材に対する付加情報の編集処理を一段と容易に実行し得る素材編集処理システムを実現できる。
【００６５】
また本発明によれば、付加順番対応関係ファイルに基づいて編集処理プログラムリストと付加情報との対応関係及び順番を認識することができるので、当該編集処理プログラムリストに応じた編集指示を与えることによって素材に対して付加情報を順番通りに付加して編集処理を自動的に実行することができ、かくして素材に対する付加情報の編集処理を一段と容易に実行し得る素材編集処理方法を実現できる。
【図面の簡単な説明】
【図１】本発明における素材編集処理システムの構成を示すブロック図である。
【図２】テロップを示す略線図である。
【図３】編集画面を示す略線図である。
【図４】編集処理内容を示す編集プログラムリストである。
【図５】編集プログラムリストとテロップファイルとの関係及び当該テロップファイルの順番を示すテロップ順番テキストファイルである。
【図６】送信側におけるフォルダ画面の内容を示す略線図である。
【図７】受信側におけるフォルダ画面の内容を示す略線図である。
【図８】制御装置における編集プログラムリスト生成処理手順を示すフローチャートである。
【図９】編集装置における編集処理手順を示すフローチャートである。
【符号の説明】
１……素材編集処理システム、２……制御装置、３……編集装置、４……遠隔編集端末、５……テロップ発生器、５Ａ……テロップ、１２……ローカルサーバ、１３……ビデオスイッチャオーディオミキサ、１４……編集ＶＴＲ、１７……編集コントローラ、１９……テロップ発生器。
【図１】
0004258697.tif 000002
【図２】
0004258697.tif 000003
【図３】
0004258697.tif 000004
【図４】
0004258697.tif 000005
【図５】
0004258697.tif 000006
【図６】
0004258697.tif 000007
【図７】
0004258697.tif 000008
【図８】
0004258697.tif 000009
【図９】
0004258697.tif 000010